(57)【特許請求の範囲】
【請求項１】
液体容器および薬瓶とともに使用するためのバルブアセンブリであって、
前記液体容器は、デュアルアクセスポートを備え、液体内容物を収容し、
前記薬瓶は、薬瓶ストッパと、薬剤を収容する薬瓶内部と、を有し、
前記バルブアセンブリは、
ａ）長手方向薬瓶アダプタ軸線を有する薬瓶アダプタであって、前記長手方向薬瓶アダプタ軸線に交差する頂部壁を有する薬瓶アダプタ本体と、前記薬瓶アダプタを前記薬瓶に取り付けた際に前記薬瓶内部との流れ連通を確立するために前記薬瓶ストッパを穿刺するためのカニューレ先端を有する先が尖ったチューブ状のカニューレと、前記カニューレと反対側で前記頂部壁に取り付けられるとともに前記カニューレと流れ連通する直立した雄コネクタと、を備える薬瓶アダプタを備え、
前記雄コネクタは、最上部環状コネクタリムを有し、
前記バルブアセンブリは、さらに、
ｂ）前記長手方向薬瓶アダプタ軸線と同一方向の長手方向アクセスポートアダプタ軸線を有するアクセスポートアダプタであって、前記アクセスポートの１つに密封挿入するためのアクセスポートコネクタと、前記雄コネクタに密封取り付けするための雌コネクタと、を備えるアクセスポートアダプタを備え、
前記薬瓶アダプタは、前記液体容器と前記薬瓶との間が流れ連通しないようにするための閉位置と、前記液体容器と前記薬瓶との間に流れ連通を確立するための開位置と、の間で前記薬瓶アダプタ軸線に沿って前記アクセスポートアダプタに対して手動操作によって往復動するように、手動操作による往復動可能に前記アクセスポートアダプタに取り付けられ、
前記薬瓶アダプタは、前記開位置から前記閉位置まで移動する際に、前記アクセスポートアダプタに向かうように配置され、前記平地から前記開位置まで移動する際に、前記アクセスポートアダプタから離れるように配置される
バルブアセンブリ。
【請求項２】
請求項１に記載のアセンブリであって、
前記薬瓶アダプタは、前記雄コネクタの周囲の係止カラーを備え、
前記係止カラーは、少なくとも２つの周囲スロットを有し、
前記アクセスポートアダプタは、対応する数の、長手方向を向けられた複数の脚部を備え、
前記脚部の各々は、前記薬瓶アダプタが前記閉位置と前記開位置との間で前記アクセスポートアダプタに対して手動操作によって回転往復動するように前記少なくとも２つの周囲スロットに挿入するための内向きの突出部を有し、
前記アクセスポートアダプタは、さらに、前記アクセスポートコネクタと前記雌コネクタとの間を流れ連通させるための内腔を備え、
前記内腔は、前記アクセスポートコネクタと前記雌コネクタとの間に前記流れ連通を確立するための少なくとも１つの周囲貫通穴を有する交差方向の桟を備え、
前記薬瓶アダプタは、前記閉位置において、前記内腔をシールするために前記環状の雄コネクタリムを前記桟に対して押しつけて前記少なくとも１つの周囲貫通穴をシールし、前記開位置において、前記環状の雄コネクタリムを前記桟から移動させて前記少なくとも１つの周囲貫通穴をシール解除する
アセンブリ。
【請求項３】
請求項２に記載のアセンブリであって、
前記アクセスポートアダプタは、前記閉位置において、前記雄コネクタのところで前記流れ連通内腔に密封挿入するためのシール突出部を備える
アセンブリ。
【請求項４】
請求項２に記載のアセンブリであって、
前記アクセスポートアダプタは、前記アクセスポートアダプタに対する前記薬瓶アダプタの手動操作による回転を補助するために、半径方向に向けられた少なくとも１つの翼部を備える
アセンブリ。
【請求項５】
請求項１に記載のアセンブリであって、
前記アクセスポートアダプタは、デュアル構成要素構成を有しており、
前記デュアル構成要素構成は、前記アクセスポートコネクタを有する先行アクセスポートアダプタ構成要素と、前記雄コネクタに密封取り付けするための前記雌コネクタを有する後続アクセスポートアダプタ構成要素と、を備え、
前記後続アクセスポートアダプタ構成要素は、前記薬瓶アダプタと一体的に形成され、
前記薬瓶アダプタは、前記雄コネクタと前記アクセスポートコネクタとの間が流れ連通しないようにするための前記閉位置と、前記液体容器と前記薬瓶との間に流れ連通を確立するための前記開位置と、の間で、前記長手方向薬瓶アダプタ軸線に沿って、前記先行アクセスポートアダプタ構成要素に対して手動操作によって直線的に往復する
アセンブリ。
【請求項６】
前記液体容器に事前取り付けするための請求項１ないし請求項５のいずれか一項に記載のアセンブリであって、
さらに、前記カニューレに取り外し可能に取り付けるためのシール部材を備える
アセンブリ。
【請求項７】
請求項６に記載のアセンブリであって、
前記薬瓶アダプタ本体は、前記薬瓶にスナップ嵌めするために、多数の柔軟部材を有するスカートであって、広がって垂下するスカートを備え、
前記シール部材は、前記スカートの全体に亘って延在する固定部材と、前記カニューレに密封取り付けするための、前記固定部材に直立して取り付けられたスリーブと、を備える
アセンブリ。
【請求項８】
請求項６に記載のアセンブリであって、
前記シール部材は、前記薬瓶アダプタからの前記シール部材の取り外しを明示するために前記シール部材と前記薬瓶アダプタとの間に延在する不正開封防止証拠ホイルを備える
アセンブリ。
【請求項９】
液剤移送セットであって、
事前取り付けされた請求項１ないし請求項８のいずれか一項に記載のバルブアセンブリを有する液体容器を備える
液剤移送セット。
【発明の詳細な説明】
【技術分野】
【０００１】
本発明は、液体容器および薬瓶とともに使用するためのバルブアセンブリに関する。
【背景技術】
【０００２】
Aaltoらに付与された米国特許第４，６０７，６７１号は、注射剤容器などの第２の容器内の液体を使用して、標準的な薬瓶中で薬剤を構成するための復元デバイスを図示し説明している。この復元デバイスは、ハウジングと、ハウジング内に取り付けられた、中空で両方が尖った（double-pointed）ニードルと、を備えている。ハウジングは、シースを備えている。シースは、実質的に円形のベースと、ベースから垂下したスカートと、を有している。スカートは、自由端と、実質的に円筒形の内面と、外面と、を備えている。内向きに突出した複数の突起が、内面の周りに間欠的に間隔を隔てられている。突起は、ベースから実質的に等距離に配置されている。この距離は、展性を有するバンドの幅に実質的に等しい。
【０００３】
Bonniciらに付与された米国特許第５，３０４，１６３号は、一体的な復元デバイスを図示し説明している。この復元デバイスは、投与ポートと、そこから延在する可撓性を有するチューブと、を有する可撓性を有する容器を備えている。投与ポートは、アクセス膜を有しており、アクセス膜を通って先が尖ったカニューレが挿入されて、可撓性を有する容器の内部にアクセスできる。可撓性を有するチューブは、壊れやすい（frangible）または分離したバルブをその中に収容する。実質的に円形のベースと、端部が開口したスカートと、を有するシースが、可撓性を有するチューブの端部に恒久的に固定される。スカートは、ベースから垂下する内面を備えている。スカートは、内向きに突出した複数の突起を備えている。突起は、内面の周りに間欠的に間隔を隔てられ、標準的な薬瓶と密封をなして係合する。鋭利なカニューレがスカート内に取り付けられ、標準的な薬瓶のストッパを穿刺し、カニューレと薬瓶の内部との間に流体連通を確立する。剥くことができる閉鎖部が、デバイスの無菌状態を維持するために、使用前のスカート開口部を覆って設けられる。内腔がハウジングに設けられ、カニューレと壊れやすいまたは分離したバルブとの間の流体連通を確立する。
【０００４】
Capitaineらに付与された米国特許第８，０２５，６５３号は、ルアーコネクタと、穿刺可能なストッパを有する貯蔵容器のための医療用コネクタと、そのようなルアーコネクタを備える移送セットと、を図示し、説明している。このルアーコネクタは、流体が通るための内部導管と、穿孔機を有する第２のルアーコネクタへの接続要素と、を備え、これらの接続要素は、その端部の一方に配置される。また、この端部は、これらのコネクタを連結する目的で穿孔機が導管内に導入されたときにシールを提供するように、導管内で突出部を形成する連続的なリムを備えている。また、破壊可能な膜が、第２のルアーコネクタがこのルアーコネクタに連結されたときに分離されるように導管内に配置される。
【先行技術文献】
【特許文献】
【０００５】
【特許文献１】米国特許第４，６０７，６７１号
【特許文献２】米国特許第５，３０４，１６３号
【特許文献３】米国特許第８，０２５，６５３号
【発明の概要】
【課題を解決するための手段】
【０００６】
本発明は、液剤形成目的で液体内容物を液体容器から薬瓶に最初に移送し、次いで、投与目的で液剤内容物を薬瓶から液体容器に移送することを可能にするために、液体容器および薬剤収容薬瓶とともに使用するためのバルブアセンブリを対象としている。液体容器は、ボトル、ＩＶバッグなどであってもよい。液体容器は、典型的には、デュアルアクセスポートを備えている。液体内容物は、粉末薬剤を復元することができ、あるいは、薬瓶に収容された液剤を希釈することができる。
【０００７】
バルブアセンブリは、カニューレと雄コネクタとを有する従来の薬瓶アダプタと、アクセスポートアダプタと、を備えている。アクセスポートアダプタは、デュアルアクセスポートの１つに密封挿入するためのアクセスポートコネクタと、密封をなして雄コネクタに取り付けるための雌コネクタと、を有している。薬瓶アダプタは、アクセスポートアダプタに対して、液体容器と薬瓶との間の流れ連通が起きないようにするための閉位置と、液体容器と薬瓶との間の流れ連通を可能にするための開位置と、の間で手動操作によって相互的である、すなわち、往復する（reciprocal）。
【０００８】
手動往復構成は、とりわけ、ねじ山構成、プッシュ・プル構成などを備え得る。往復構成によって、液体内容物を薬瓶から液体容器に移送した後に、液体容器から薬瓶への流出または漏洩を避けるために、バルブアセンブリをシールすることが可能となる。また、往復構成は、シール破壊が生じないようにし、それによって、液体内容物を移送する際に、シール破片、すなわち、微粒子が薬瓶内容物と混合されないようにする。
【０００９】
雄コネクタは、好ましくは、雄ルアーロックコネクタである。雄ルアーロックコネクタを有する適切な薬瓶アダプタは、米国  リウビル，  ＰＡ  １９３４１のWest Pharmaceutical Services, Inc. （www.westpharma.com）から商業的に入手可能である。薬瓶アダプタは、非屈曲型および屈曲型で実施されることができる。バルブアセンブリは、好ましくは、液体容器に事前取り付けされ、使用までの無菌状態を確保するためにそのカニューレに取り付けられる取り外し可能なシール部材を有する液剤移送セットを形成する。あるいは、液剤移送セットは、使用前に液体容器に取り付ける準備がなされた無菌ブリスターパックに包装されるバルブアセンブリを備え得る。
【００１０】
本発明を理解し、それがどのように実施できるかを理解するために、次に、好ましい諸実施例について、非限定的な例示のみを目的として、添付の図面を参照して説明する。添付の図面では、同様の部分には同様の番号が付されている。
【図面の簡単な説明】
【００１１】
【図１】薬瓶とともに使用するためのＩＶバッグに事前取り付けされた本発明のバルブアセンブリの第１の好ましい実施形態を備える液剤移送セットの図である。
【図２】薬瓶アダプタとアクセスポートアダプタとシール部材とを備えるバルブアセンブリの分解図である。
【図３】バルブアセンブリの図２のＢ−Ｂ線に沿った長手方向断面図であり、薬瓶にスナップ嵌めされた薬瓶アダプタを示している。
【図４】アクセスポートアダプタの図２のＣ−Ｃ線に沿った長手方向断面図である。
【図５】アクセスポートアダプタの図２のＤ−Ｄ線に沿った横断図である。
【図６Ａ】その閉位置にあるバルブアセンブリの図１のＡ−Ａ線に沿った長手方向断面図である。
【図６Ｂ】その開位置にあるバルブアセンブリの図１のＡ−Ａ線に沿った長手方向断面図である。
【図７Ａ】図１の液剤移送セットの使用方法を示す図である。
【図７Ｂ】図１の液剤移送セットの使用方法を示す図である。
【図７Ｃ】図１の液剤移送セットの使用方法を示す図である。
【図７Ｄ】図１の液剤移送セットの使用方法を示す図である。
【図７Ｅ】図１の液剤移送セットの使用方法を示す図である。
【図７Ｆ】図１の液剤移送セットの使用方法を示す図である。
【図８】使用前にＩＶバッグに取り付けるための本発明のバルブアセンブリの第２の好ましい実施形態の図である。
【図９】使用前にＩＶバッグに取り付けるための本発明のバルブアセンブリの第３の好ましい実施形態の図である。
【図１０】図９のバルブアセンブリの図９のＥ−Ｅ線に沿った長手方向断面図である。
【図１１Ａ】デュアルアクセスポートを有する液体容器に取り付けるための本発明のバルブアセンブリの第４の好ましい実施形態の図である。
【図１１Ｂ】図１１Ａの液体容器の上面図である。
【発明を実施するための形態】
【００１２】
図１は、薬瓶１０とともに使用するための液剤移送セット１００を示している。液剤移送セット１００は、液体容器２０を備えている。液体容器２０は、ＩＶバッグと、ＩＶバッグ２０に事前取り付けされたバルブアセンブリ３０Ａと、によって構成される。薬瓶１０は、長手方向薬瓶軸線１０Ａを有しており、また、薬瓶本体１１を備えている。薬瓶本体１１は、薬瓶リム１２と、薬瓶本体１１と薬瓶リム１２との間の狭い直径のネック１３と、を有している。薬瓶リム１２は、薬瓶ストッパ１６によってシールされるとともにバンド１７によってキャップされる薬瓶開口部１４を形成する。薬瓶本体１１は、粉末または液体の薬剤内容物１９を収容する薬瓶内部１８を形成する。ＩＶバッグ２０は、第１のアクセスポート２１と、第２のアクセスポート２２と、液体内容物２３と、を備えている。アクセスポート２１，２２は、プラスチック製チューブの形態である。アクセスポート２１には、典型的には、注射器内容物をＩＶバッグ２０にニードルで注入するようにされた自己シールプラグ２４（図示省略）が取り付けられる。アクセスポート２２は、典型的には、投与目的でＩＶスパイクを挿入するためのねじりキャップ２６によってシールされる。
【００１３】
図２〜６は、バルブアセンブリ３０Ａを示している。バルブアセンブリ３０Ａは、薬瓶アダプタ４０と、第１のアクセスポート２１に事前取り付けされたアクセスポートアダプタ６０と、シール部材９０と、を備えている。薬瓶アダプタ４０は、アクセスポートアダプタ６０に対して、閉位置（図６Ａ参照）と開位置（図６Ｂ参照）との間で手動操作によって回転可能である。バルブアセンブリ３０Ａは、液体内容物２３がＩＶバッグ２０から流出することを防止するために、閉位置に供される。バルブアセンブリ３０Ａは、液体内容物をＩＶバッグ２０から薬瓶１０まで最初に移送し、次いで、再度閉められる前に液剤内容物を薬瓶１０からＩＶバッグ２０まで移送できるようにするために、一時的に開けられる。空の薬瓶１０は、好ましくは、投与ポート２２を介して患者に液剤内容物を投与する間、薬瓶アダプタ４０に取り付けられたままであるが、オプションとして、そこから取り外すことができる。
【００１４】
薬瓶アダプタ４０は、長手方向薬瓶アダプタ軸線４０Ａを有しており、また、薬瓶アダプタ本体４１を備えている。薬瓶アダプタ本体４１は、長手方向薬瓶アダプタ軸線４０Ａと交差（例えば、直交）する頂部壁４２と、薬瓶１０にスナップ嵌めするための多数の柔軟部材４４を有する垂下し広がったスカート４３と、薬瓶ストッパ１６を穿刺するためのカニューレ先端４７を有する先が尖ったチューブ状のカニューレ４６と、カニューレ４６と流れ連通する流れ連通内腔４８と、を備えている。流れ連通内腔４８は、カニューレ４６と反対側で頂部壁４２に取り付けられた直立した雄コネクタ４９のところに末端が位置する。雄コネクタ４９は、環状の雄コネクタリム５１を有している。雄コネクタ４９は、係止カラー５２とともに形成されている。係止カラー５２は、内部ねじ山５３と、対向する一対の周囲スロット５４と、を有している。周囲スロット５４の各々は、約４５°以上約９０°以下の扇角を有しており、薬瓶アダプタ４０とアクセスポートアダプタ６０との間の回転範囲を定めている。
【００１５】
アクセスポートアダプタ６０は、長手方向アクセスポートアダプタ軸線６０Ａを有している。長手方向アクセスポートアダプタ軸線６０Ａは、長手方向薬瓶アダプタ軸線４０Ａと同一方向とされ、好ましくはそれと同軸である。アクセスポートアダプタ６０は、内腔６２を有するチューブ状の主本体６１と、アクセスポート２１に密封挿入するためのアクセスポートコネクタ６３と、雄コネクタ４９に密封をなして取り付けるための雌コネクタ６４と、を備えている。雌コネクタ６４は、内部ねじ山５３とねじ係合するための外部ねじ山６６を有する先端６４Ａを備えている。内腔６２は、アクセスポートコネクタ６３と雌コネクタ６４との間の横断桟６７を備えている。桟６７は、アクセスポートコネクタ６３と対面する桟上面６７Ａと、雌コネクタ６４と対面する桟下面６７Ｂと、を有している。桟６７は、等間隔に配置された４つの長手方向貫通穴６８を有している。長手方向貫通穴６８は、主本体６１に隣接して周囲に（周方向に）配置されている。桟下面６７Ｂは、
雄コネクタ４９のところで流れ連通内腔４８に選択的に密封挿入するためのシール突出部６９とともに形成されている。
【００１６】
アクセスポートアダプタ６０は、長手方向に向けられた一対の脚部７１を備えている。脚部７１の各々は、内向きの突出部７２を備えている。突出部７２は、周囲スロット５４に挿入するために外部ねじ山６６に対面している。アクセスポートアダプタ６０は、薬瓶アダプタ４０をアクセスポートアダプタ６０に対して手動操作で回転させるために、半径方向に向けられた対向する一対の翼部７３を備えている。翼部７３は、最上部翼面７３Ａを有している。内向きの対応する突出部７２を有する、雌コネクタ６４の長手方向に向けられた一対の脚部７１は、係止カラー５２の一対の周囲スロット５４内において、バルブアセンブリ３０Ａの閉位置に一致する第１の端位置（図６Ａ参照）と、バルブアセンブリ３０Ａの開位置に一致する第２の端位置（図６Ｂ参照）と、の間で回転可能である。
【００１７】
閉位置において、環状の雄コネクタリム５１は、桟下面６７Ｂを支持して、ＩＶバッグ２０と薬瓶１０との間が流れ連通しないように、周囲貫通穴６８をシールする。閉位置において、シール突出部６９は、雄コネクタ４９のところで流れ連通内腔４８に密封をなして挿入され、内腔６２を通って液体が漏洩しないようにされる。最上部翼面７３Ａは、閉位置において、基準面Ｓに対する高さＨ１を定義する。内向きの突出部７２の周囲スロット５４内での移動によって範囲が定められた、手動操作によって薬瓶アダプタ４０をアクセスポートアダプタ６０に対して緩める回転は、環状の雄コネクタリム５１を桟下面６７Ｂから移動させ、アクセスポートコネクタ６３と雌コネクタ６４との流れ連通を可能にするために開位置において内腔６２をシール解除するために、周囲貫通穴６８をシール解除する（図６Ｂ参照）。最上部翼面７３Ａは、開位置において、基準面Ｓに対する高さＨ２を定義する。Ｈ２＞Ｈ１である。高低差Ｈ２−Ｈ１は、典型的には、約１ｍｍの範囲内であり、薬瓶アダプタ４０およびアクセスポートアダプタ６０のねじ山ピッチと、周囲スロット５４の扇角と、に依存する。
【００１８】
シール部材９０は、スカート４３の全範囲に延在する固定部材９１と、カニューレ４６に密封をなして取り付けるために固定部材９１上に直立して取り付けられたスリーブ９２と、を備えている。固定部材９１は、対向する柔軟部材の先端に取り付けるためのスリット９３を備えている。シール部材９０は、使用前のバルブアセンブリ３０Ａが完全な状態であることを示すための不正開封防止証拠ホイル９４を備えている。
【００１９】
図７Ａ〜７Ｆは、以下に示すように、液剤移送セット１００の使用方法を示している。
図７Ａは、その閉位置にあり、薬瓶アダプタ４０に取り付けられたそのシール部材９０に取り付けられたバルブアセンブリ３０Ａを示している。図７Ａは、また、矢印Ｃで示されるように薬瓶１０を薬瓶アダプタ４０にスナップ嵌め挿入する前に、カニューレ４６を露出するために、矢印Ａで示されるようにシール部材９０を取り外す様子を示す（図７Ｂ参照）。シール部材９０の取り外しによって、矢印Ｂで示されるように、薬瓶アダプタ４０から証拠ホイル９４が取り外される。
【００２０】
図７Ｃは、液体内容物をＩＶバッグ２０から薬瓶１０まで移送するためにＩＶバッグ２０から薬瓶１０までの流れ連通を可能にするために、バルブアセンブリ３０Ａをその閉位置からその開位置まで促すために、薬瓶アダプタ４０をその取り付けられた薬瓶１０とともにアクセスポートアダプタ６０に対して矢印Ｄで示されるように手動操作で回転させて緩める様子を示している。
【００２１】
図７Ｄは、薬瓶１０内で液剤を形成するために液剤移送セット１００を撹拌する前に、矢印Ｅで示すように液体内容物を薬瓶１０に移送するためにＩＶバッグ２０を絞る様子を示している。
【００２２】
図７Ｅは、矢印Ｇで示されるようにバルブアセンブリ３０Ａを閉めるために薬瓶アダプタ４０およびその取り付けられた薬瓶をアクセスポートアダプタ６０に対して手動操作で回転させて締め付ける前に、矢印Ｆで示されるように液剤内容物を薬瓶１０からＩＶバッグ２０まで移送するために、液剤移送セット１００を逆さまにした様子を示している。
【００２３】
図７Ｆは、液剤内容物を患者に投与するために、ねじりキャップ２２を開けた後に、液剤移送セット１００を逆さまにして、点滴セットを第２のアクセスポート２２に挿入した様子を示している。
【００２４】
図８〜１１は、構成および動作がバルブアセンブリ３０Ａと類似し、したがって、同様の部品に同様の番号が付された３つのバルブアセンブリ３０Ｂ，３０Ｃ，３０Ｄを示している。
【００２５】
バルブアセンブリ３０Ｂ，３０Ｃは、自己シールプラグ２４が取り付けられた第１のアクセスポート２１と、ねじりキャップ２６が取り付けられた第２のアクセスポート２２と、を有するＩＶバッグ２０とともに使用されて示されている。バルブアセンブリ３０Ｂ，３０Ｃ，３０Ｄは、無菌ブリスタ−パック３１内で個別の品として提供されるように意図されており、したがって、シール部材９０を必要としない。
【００２６】
図８は、アクセスポート２１上に密接に摺動させるための側板３２と、自己シールプラグ２４を穿刺するためのニードル３３と、を備えるバルブアセンブリ３０Ｂを示している。側板３２は、ニードル３３を図示するために部分的に破壊されて示されている。
【００２７】
図９および図１０は、バルブアセンブリ３０Ｃを示している。バルブアセンブリ３０Ｃは、バルブアセンブリ３０Ｃを閉位置と開位置との間で配置するために薬瓶アダプタ４０がアクセスポートアダプタ６０に対して手動操作で直線的に往復できるようにするためのプッシュ・プルタイプの往復構成を備えている。バルブアセンブリ３０Ｃは、デュアル構成要素アクセスポートアダプタ８０を備えている。デュアル構成要素アクセスポートアダプタ８０は、アクセスポートに密封挿入するためのアクセスポートコネクタ６３を有する先行アクセスポートアダプタ構成要素８１と、雄コネクタ４９に密封取り付けするための雌コネクタ６４を有する後続アクセスポートアダプタ構成要素８２と、を備えている。後続アクセスポートアダプタ構成要素８２は、薬瓶アダプタ４０と一体的に形成されている。後続アクセスポートアダプタ構成要素８２を薬瓶アダプタ４０に一体的に取り付けるための適切な接着手段には、とりわけ、接着剤、超音波などが含まれる。
【００２８】
先行アクセスポートアダプタ構成要素８１は、シール突出部８４の横に位置する一対の長手方向内腔８３を備えている。後続アクセスポートアダプタ構成要素８２は、内腔６２と流れ連通する長手方向内腔８６を備えている。バルブアセンブリ３０Ｃの閉位置において、シール突出部８４は、ＩＶバッグと薬瓶との間が流れ連通しないようにするために、内腔８６をシールする。バルブアセンブリ３０Ｃの開位置において、シール突出部８４は、内腔８３と内腔８６との間、したがって、ＩＶバッグと薬瓶との間での流れ連通を可能にするために、内腔８６よりも上方に配置される。
【００２９】
図１１Ａおよび図１１Ｂは、液体容器２０とともに使用するバルブアセンブリ３０Ｄを備えている。液体容器２０は、ボトルによって構成され、デュアルアクセスポート２１，２２を有している。バルブアセンブリ３０Ｄは、バルブアセンブリ３０Ａと類似しているが、ポート２１，２２の一方に密封摺動挿入するためのアクセスポートスパイク３４を備えている。
【００３０】
本発明が限られた数の実施形態に関して説明されたものの、本発明の多数の変形形態、修正形態および適用形態が添付の特許請求の範囲の範囲内でなされ得ることが理解されよう。
【符号の説明】
【００３１】
１０…薬瓶
１０Ａ…長手方向薬瓶軸線
１１…薬瓶本体
１２…薬瓶リム
１３…ネック
１４…薬瓶開口部
１６…薬瓶ストッパ
１７…バンド
１８…薬瓶内部
１９…薬剤内容物
２０…液体容器
２１…第１のアクセスポート
２２…第２のアクセスポート
２３…液体内容物
２４…自己シールプラグ
２６…ねじりキャップ
３０Ａ，３０Ｂ，３０Ｃ，３０Ｄ…バルブアセンブリ
３１…無菌ブリスタ−パック
３２…側板
３３…ニードル
３４…アクセスポートスパイク
４０…薬瓶アダプタ
４０Ａ…長手方向薬瓶アダプタ軸線
４１…薬瓶アダプタ本体
４２…頂部壁
４３…スカート
４４…柔軟部材
４６…カニューレ
４７…カニューレ先端
４８…流れ連通内腔
４９…雄コネクタ
５１…雄コネクタリム
５２…係止カラー
５３…ねじ山
５４…周囲スロット
６０…アクセスポートアダプタ
６０Ａ…長手方向アクセスポートアダプタ軸線
６１…主本体
６２…内腔
６３…アクセスポートコネクタ
６４…雌コネクタ
６４Ａ…先端
６６…ねじ山
６７…桟
６７Ａ…桟上面
６７Ｂ…桟下面
６８…周囲貫通穴
６９…シール突出部
７１…脚部
７２…突出部
７３…翼部
７３Ａ…最上部翼面
８０…デュアル構成要素アクセスポートアダプタ
８１…先行アクセスポートアダプタ構成要素
８２…後続アクセスポートアダプタ構成要素
８３…長手方向内腔
８４…シール突出部
８６…長手方向内腔
９０…シール部材
９１…固定部材
９２…スリーブ
９３…スリット
９４…不正開封防止証拠ホイル
１００…液剤移送セット
【図１】
0005635219.tif 000002
【図２】
0005635219.tif 000003
【図３】
0005635219.tif 000004
【図４】
0005635219.tif 000005
【図５】
0005635219.tif 000006
【図６Ａ】
0005635219.tif 000007
【図６Ｂ】
0005635219.tif 000008
【図７Ａ】
0005635219.tif 000009
【図７Ｂ】
0005635219.tif 000010
【図７Ｃ】
0005635219.tif 000011
【図７Ｄ】
0005635219.tif 000012
【図７Ｅ】
0005635219.tif 000013
【図７Ｆ】
0005635219.tif 000014
【図８】
0005635219.tif 000015
【図９】
0005635219.tif 000016
【図１０】
0005635219.tif 000017
【図１１Ａ】
0005635219.tif 000018
【図１１Ｂ】
0005635219.tif 000019